(57)【要約】      （修正有）【課題】コインの種類に応じて、分けて安定して収納することができ、コインを取り出す際には、迅速に取り出すことができるコイン収納構造を提供する。【解決手段】札入れ部の内方側面部に設けられたコイン収納部構造であって、複数の独立した収納部を有していることを特徴とする。複数の独立した収納部に夫々、コインを分けて収納することができることから、コインの種類に応じて分別して収納することができるため、取り出す際にも必要なコインを迅速に取り出すことができる。【選択図】図１
0003156768.tif 000002
【実用新案登録請求の範囲】
【請求項１】
札入れ部の内方側面部に設けられたコイン収納部構造であって、複数の独立した収納部を有していることを特徴とするコイン収納部構造。
【請求項２】
上記夫々の収納部は、札入れ部の長さ方向に沿って互いに隣接して一対に形成されていることを特徴とする請求項１記載のコイン収納部構造。
【請求項３】
上記夫々の収納部はマチ部を有することを特徴とする請求項２記載のコイン収納部構造。
【請求項４】
上記収納部は、裏面側片部と、上記裏面側片部の幅方向寸法の半分の幅寸法に形成された表面側片部と、上記表面側片部と上記裏面側片部との間に設けられたマチ部とにより構成されていることを特徴とする請求項３記載のコイン収納部構造。
【請求項５】
上記表面側片部は裏面側片部の下端部に接合されると共に、上記マチ部は内方に折り畳まれ、上記表面側片部と裏面側片部との間隔寸法が上端部に至るに従って大きくなるように形成されて、内部には、全体として逆三角柱状の収納空間が形成される一方、上端に形成される開口部を被覆するカバー部材が設けられていることを特徴とする請求項４記載のコイン収納部構造。
【考案の詳細な説明】
【技術分野】
【０００１】
本考案は、コイン収納部構造の改良に関する。
【背景技術】
【０００２】
札入れ型の財布には、札入れ部の内方にコイン収納部が設けられているものが多い。しかしながら、従来の札入れ型財布にあっては、一つのコイン収納部内に多数種類のコインがまとめて収納されていることから、収納された多数のコインの中から必要とする種類のコインを取り出す際には、多数種類のコインの中から探し出す必要があり、買い物の際に急いで取り出す必要がある場合等に不便であった。
【０００３】
また、コイン収納部内に収納したコインが一定の枚数に及んだ場合には、所定の重量となることから、財布をポケット等に入れて持ち運ぶ際には、所定の重量を有する多数のコインがコイン収納部内で移動し、その結果、ポケット内で財布が収納したコインの重さで移動することもあり、安定した状態で財布を保持することができない場合がある、という不具合も存していた。
【考案の開示】
【考案が解決しようとする課題】
【０００４】
そこで、本考案の課題は、コインの種類に応じて、分けて安定して収納することでき、コインを取り出す際には、迅速に取り出すことができるコイン収納構造を提供することにある。
【課題を解決するための手段】
【０００５】
このような課題解決のため、請求項１の考案にあっては、札入れ部の内方側面部に設けられたコイン収納部構造であって、複数の独立した収納部を有していることを特徴とする。
従って、請求項１記載の考案にあっては、複数の独立した収納部に夫々、コインを分けて収納することができる。
【０００６】
請求項２記載の考案にあっては、上記夫々の収納部は、札入れ部の長さ方向に沿って互いに隣接して一対に形成されていることを特徴とする。
請求項３記載の考案にあっては、上記夫々の収納部はマチ部を有することを特徴とする。従って、請求項３記載の考案にあっては、内部に所定量の収納空間を確保することができる。
【０００７】
請求項４記載の考案にあっては、上記収納部は、裏面側片部と、上記裏面側片部の幅方向寸法の半分の幅寸法に形成された一対の表面側片部と、上記表面側片部と上記裏面側片部との間に設けられたマチ片部とにより構成されていることを特徴とする。
【０００８】
請求項５記載の考案にあっては、上記表面側片部は裏面側片部の下端部に接合されると共に、上記マチ部は内方に折り畳まれ、上記表面側片部と裏面側片部との間隔寸法が上端部に至るに従って大きくなるように形成されて、内部には、全体として逆三角柱状の収納空間が形成される一方、上端に形成される開口部を被覆するカバー部材が設けられていることを特徴とする。
従って、請求項５記載の考案にあっては、収納部の開口部は大きく開口し、下端部に至るに従って収納空間は小さくなる。また、上記開口部は、常時、カバー部材により被覆される。
【考案の効果】
【０００９】
請求項１〜５記載の考案にあっては、複数の独立した収納部に夫々、コインを分けて収納することができることから、コインの種類に応じて分別して収納することができるため、取り出す際にも必要なコインを迅速に取り出すことができる。
【００１０】
また、複数の独立した収納部に夫々、コインを分けて収納することができることから、収納したコインが一定の枚数に及び、所定の重量となった場合であっても、夫々のコイン収納部内に多数枚のコインを納めることができるため、従来の一箇所のコイン収納部に多数枚数のコインを一括して収納した場合に、所定の重量を有する多数のコインが収納部内で移動して、その結果、コインの重量によりポケット内で財布が移動し、安定した状態で財布を保持することができない、という事態を防止して、安定した財布の携帯ができる。
【００１１】
請求項３記載の考案にあっては、上記効果に加えて、上記夫々の収納部はマチ部を有し、内部に所定量の収納空間を確保することができるため、多数のコインを効率的に収納することができる。
【００１２】
請求項５記載の考案にあっては、上記効果に加えて、収納部の開口部は大きく開口することから、収納時にはコインを収納しやすいと共に、取り出し時にもコインを取り出しやすい。
また、開口部は大きく開口しているが、上記開口部は、財布の携帯時に開口部はカバー部材により被覆されていることから、内部のコインがこぼれる事態を有効に防止することができる。
【図面の簡単な説明】
【００１３】
【図１】本考案に係るコイン収納部構造が適用される財布を示す斜視図である。
【図２】本考案に係るコイン収納部構造が適用される財布を示す図であって、図１の2―2線断面図である。
【考案を実施するための最良の形態】
【００１４】
以下に、添付図面を用いて、本考案に係るコイン収納構造を詳細に説明する。
図１に示すように、本実施の形態に係るコイン収納構造は、札入れ部を有する財布１０の、札入れ部１１の内方側面部に設けられ、互いに隣接して並設された、２つの収納部１２、１３を有している。上記夫々の収納部１２、１３は、札入れ部１１の長さ方向に沿って一対に形成されている。
【００１５】
上記夫々の上記収納部１２、１３は、裏面側片部１５と、上記裏面側片部１５の幅方向寸法の半分の幅寸法に形成された一対の表面側片部１６、１６と、上記表面側片部１６、１６と上記裏面側片部１５との間に設けられたマチ部１７とにより構成されている。
図２に示すように、上記表面側片部１６、１６は裏面側片部１５の下端部１４に接合されると共に上記マチ部１７は、上記表面側片部１６、１６と裏面側片部１５との間隔寸法が上端部に至るに従って大きくなるように横断面Ｖ字状に内方に折り畳まれ、内部には、全体として逆三角柱状の収納空間が形成されている。
【００１６】
収納部１２、１３の上端には夫々、開口部１８が形成され、この開口部１８を被覆する一対のカバー部材１９、１９が並設されている。上記カバー部材１９、１９は、上記裏面側片部１５の上端部に一体的に延設されて形成され、上記開口部１８、１８において表面側片部１６、１６側に折曲されて開口部１８を被覆する。
上記カバー部材１９、１９の先端部裏面側にはオススナップ２０ａが取り付けられると共に、上記表面側片部１６、１６の上端部にはメススナップ２０ｂが取り付けられており、被覆時には、オススナップ２０ａをメススナップ２０ｂに係合させることにより、カバー部材１９、１９を収納部１２、１３に固定させることができるように構成されている。
【００１７】
以下、本実施の形態に係るコイン収納部構造の作用について説明する。
本実施の形態に係るコイン収納構造を有する財布１０を使用してコインを収納する場合には、上記カバー部材１９、１９のオススナップ２０ａ及びメススナップ２０ｂの係合を解除して、カバー部材１９、１９を開き、収納部１２、１３の開口部１８、１８を夫々、開放する。
【００１８】
使用者は、収納するコインの種類、量に応じて、夫々の収納部１２、１３に適宜、分別してコインを収納する。この場合、上記マチ部１７は、上端部に至るに従って間隔寸法が大きくなるように、全体略三角形状に形成されて、内部には、逆三角柱状の収納空間が形成されており、開口部１８、１８は大きく開口していると共に、上記収納空間の上部は大きな空隙を有していることから、コインを入れやすい。
【００１９】
また、収納部１２、１３内部の収納空間は逆三角形状に形成され、最深部の収納空隙は上方よりも小さく形成されていることから、収納されたコインは、収納部１２、１３の深さ方向において上方寄りの部位に多く収納されるため、使用者が収納部１２、１３から取り出しやすい。
【００２０】
また、コインを収納した場合には、上記カバー部材１９、１９のオススナップ２０ａを収納部１２、１３の表面側片部１６、１６上のメススナップ２０ｂに係合させることにより、カバー部材１９、１９により開口部１８、１８を被覆する。これにより、内部のコインが携帯時に排出されてしまう事態を防止することができる。
【００２１】
本実施の形態にあっては、コインの収納部１２、１３が札入れ部１１の内方族面部に並列に２つ設けられている場合を例に説明したが、収納部の個数は本実施の形態には限定されない。
【産業上の利用可能性】
【００２２】
本考案は、広くコイン収納構造に適用することができる。
【符号の説明】
【００２３】
１０  財布
１１  札入れ部
１２  収納部
１３  収納部
１４  下端部
１５  裏面側片部
１６  表面側片部
１７  マチ片部
１８  開口部
１９  カバー部材
２０  スナップ
【図１】
0003156768.tif 000003
【図２】
0003156768.tif 000004